(57)【要約】【課題】  スクリーン捺染法を用いて、意匠性や装飾性を高めたダイナミックで質感のある模様が捺染された布帛とし、インテリアに、適度な遮光性や通気性を配すると共に、「美観や風情に味わいがある」、高意匠性、高装飾性の貼設材、張設材を提供する。【解決手段】  本発明の模様付き布帛は、コンピューターグラフィックス技術を用いた陰影処理および網点処理によって加工され、解像度が２０〜１００ＬＰＩとなった二次元データが、陰影のある網点模様として、布帛に、スクリーン捺染によって捺染されていることを特徴とする。【選択図】  図１９
2013249564.tif 000002
【特許請求の範囲】
【請求項１】
コンピューターグラフィックス技術を用いた陰影処理および網点処理によって加工され、解像度が２０〜１００ＬＰＩとなった二次元データが、陰影のある網点模様として、布帛に、スクリーン捺染によって捺染されていることを特徴とする模様付き布帛。
【請求項２】
前記陰影のある網点模様が、ドットの着色域および非着色域の大きさでグラデーションが表されており、立体視可能な絵柄、文字、図形、画像のいずれか一種以上が描かれていることを特徴とする請求項１記載の模様付き布帛。
【請求項３】
前記布帛が、合成繊維からなるシート状の不織布、織物または編物のいずれかであることを特徴とする請求項１または２記載の模様付き布帛。
【請求項４】
前記布帛が、難燃加工、遮熱加工、消臭加工のいずれか一種以上が施されていることを特徴とする請求項１から３のいずれか一項記載の模様付き布帛。
【請求項５】
請求項１から４のいずれか一項記載の模様付き布帛を、障子、襖、窓、間仕切り、衝立、照明器具の外装、網戸、ソファー表装、カーテン、緞帳、テント、ブラインド、家屋の壁、家屋の天井、家屋の床、寝具、調度品、車両内装材のいずれか一種以上に適用したことを特徴とする模様付きシート。
【請求項６】
コンピューターグラフィックス技術を用いた陰影処理および網点処理によって、原データを、その解像度が２０〜１００ＬＰＩの二次元データに加工し、布帛に、陰影のある網点模様を、スクリーン捺染によって捺染することを特徴とする模様付き布帛の製造方法。
【請求項７】
前記陰影処理および網点処理に際し、ドットの着色域および非着色域の大きさでグラデーションを表して、立体視可能な絵柄、文字、図形、画像のいずれか一種以上を描くことを特徴とする請求項６記載の模様付き布帛の製造方法。
【請求項８】
前記布帛が、合成繊維からなるシート状の不織布、織物または編物のいずれかであることを特徴とする請求項６または７記載の模様付き布帛の製造方法。
【請求項９】
前記布帛が、難燃加工、遮熱加工、消臭加工のいずれか一種以上が施されていることを特徴とする請求項６から８のいずれか一項記載の模様付き布帛の製造方法。
【請求項１０】
請求項６から９のいずれか一項記載の模様付き布帛の製造方法によって製造された模様付き布帛の一方の面に、合成樹脂フイルムをラミネート加工するか、または、合成樹脂を塗工して得られる模様付きシート原反。
【請求項１１】
請求項６から９のいずれか一項記載の模様付き布帛の製造方法によって製造された模様付き布帛を、障子、襖、窓、間仕切り、衝立、照明器具の外装、網戸、ソファー表装、カーテン、ブラインド、緞帳、テント、家屋の壁、家屋の天井、家屋の床、寝具、調度品、車両内装材のいずれか一種以上に適用したことを特徴とする模様付きシート。
【請求項１２】
請求項１０記載の模様付きシート原反を、障子、襖、窓、間仕切り、衝立、照明器具の外装、網戸、ソファー表装、カーテン、ブラインド、緞帳、テント、家屋の壁、家屋の天井、家屋の床、寝具、調度品、車両内装材のいずれか一種以上に適用したことを特徴とする模様付きシート。
【発明の詳細な説明】
【技術分野】
【０００１】
本発明は、模様付き布帛とその製造方法、模様付きシート原反、並びに模様付きシートに関する。
【背景技術】
【０００２】
布帛に絵柄を付与する加工技術の中で最も広く実用に供されている方法として、フラットスクリーン捺染、ロータリースクリーン捺染（ロータリープリント捺染）、ローラ捺染、転写捺染等の捺染技術が挙げられる。これらの捺染方法は少品種・大量生産には好適であるが、現状ではファッションの多様化に迅速に対応し難い点も否めない。
【０００３】
かようなファッションの多様化や意匠性、装飾性の高度化に鑑みて、布帛への印捺技術に関する提案が散見される。例えばスキャナー等で絵柄、図案を読み取ってデジタル信号に置き換え、デジタル信号化された絵柄、図案をコンピューターグラフィックスで処理した情報をインクジェット方式で印捺する技術、所謂、インクジェットプリント法（特許文献１）、インクジェットプリントを鮮明化するための被処理物への前塗工技術（特許文献２）等が提案されている。
【０００４】
他方、インテリア用貼設材、および張設材分野では、熱可塑性重合体からなるマルチフィラメントをランダムに熱接着したシート状物からなる障子紙材（特許文献３）や、合成繊維フィラメントを接着、もしくは絡み合わせたシート状物と合繊モノフィラメントで構成した織物とを貼り合わせた複合構造体からなる和紙調材（特許文献４）が提案されている。また、表面に立毛を施した合繊フィラメント布帛を使用感と美感を求めたシート表皮材（特許文献５、６）や、特殊糸を織り込みチンチラ観を求めた布帛製壁紙（特許文献７）等の提案もある。
【先行技術文献】
【特許文献】
【０００５】
【特許文献１】特開２００２−０３８３８２号公報
【特許文献２】特開平８−００３８８５号公報
【特許文献３】特開２００５−０５９２８１号公報
【特許文献４】特開２００６−２８９７２３号公報
【特許文献５】特開２００９−２２８１４０号公報
【特許文献６】特開２０１０−２４８６６８号公報
【特許文献７】特開２００３−１１９６４６号公報
【発明の概要】
【発明が解決しようとする課題】
【０００６】
上述のインクジェットプリント法（特許文献１、２）は、絵柄や図案がデジタル情報で制御されるため、スクリーン捺染法（フラットスクリーン捺染、ロータリースクリーン捺染）と比較して画像情報を布帛に印捺するまでの時間を短縮出来、多品種を取り扱う場合の無駄が削減できるといった長所もあるが、その一方で、インクジェットプリント法は、スクリーン捺染法と対比すると、次の（ａ）〜（ｂ）に示す問題点を有している。（ａ）インクジェットプリント法は、印染速度が極端に遅いため、生産性が低い。（ｂ）インクジェットプリント法は、ほとんどの場合、被印捺布帛に印捺受理処理が必要となるため、工程が複雑となる。（ｃ）インクジェットプリント法は、適用される繊維素材と着色剤組成物との組み合わせが限定される。（ｄ）インクジェットプリント法は、着色剤組成物が高価である。（ｅ）インクジェットプリント法は、プリンターや付帯設備に費用が嵩み結果的には製造コストが高くなる。といった問題点を有している。
一方、上述のインテリア用貼設材および張設材（特許文献３−７）は、従来の天然和紙に比べれば破れ難さや耐水性等、物性面での改善がされているが、美観や風情に味わいが無く殺風景であり、意匠性や装飾性がほとんど改善されていない。現在のところ、スクリーン捺染の範疇であり、高意匠性素材の代表例である「手描き友禅」を除けば、「美観や味わい」の多様化や意匠性や装飾性の高度化に対応出来ていないのが実情である。
【０００７】
そこで、本発明者等は、模様付き布帛の分野、特にインテリアの貼設材および張設材（以下、インテリアの貼設材および張設材を総称して、貼設材と略す）分野において要望する消費者ニーズを尊重し、「美観や風情に味わいがあり高い意匠性と装飾性」の貼設材を具現化すべく鋭意検討し、その結果、コンピューターグラフィックスによる画像情報の特定条件範囲内の処理の手法とスクリーン捺染法とを新たに組み合わせることで、従来にない、三次元視覚模様絵柄を捺染した布帛を製造する方法を見出した。本発明は、個性化ないし多様化志向での多品種少ロット化の加速と付加価値の高い高次特殊デザインが求められる捺染加工において、これらニーズを効率よく低コストで具現化する捺染技術に関し、さらには、「美観や風情に味わい」「意匠性や装飾性」で高級化ニーズが高まって来た障子戸、襖戸、窓、間仕切り、間仕切戸、衝立、照明器具外装、網戸、ソファーおよびシート表皮、家具表装、カーテン、ブラインド、緞帳、テント、壁、天井、床、寝具、調度品、車両内装材を含むこれらインテリアの貼設材もしくは張設材に関する。ここで、本発明において、布帛とは、繊維生地や繊維製品の総称であり、合成繊維、棉、麻、絹やそれらを混合したものを原糸とする布、織物、編物、不織布などの総称である。また、本発明において、合繊布帛とは、合繊フィラメントで構成する合繊不織布、合繊フィラメントおよび／もしくは合繊スパンで構成する織物および／もしくは編物、等のシート状繊維構造物のことであるが、顔料および／もしくは染料によって捺染され得るものであれば特に限定されるものではない。
【０００８】
本発明者らは、鋭意検討の結果、コンピューターグラフィックス技術を用いて、絵柄、文字、図形、画像といった原データの解像度を適切な範囲に落としたうえで、スクリーン捺染法と組み合わせることで、予想を超えて、ダイナミックな模様や質感のある模様が捺染された布帛となることを見出した。
【０００９】
すなわち、本発明は、生産性が高く、汎用性に富んでいるスクリーン捺染法を用いて、意匠性や装飾性を高めたダイナミックな質感のある模様が捺染された布帛を、合理的に製造することを目的としており、模様付き布帛の製造方法、及び模様付き布帛、並びに模様付きシートを提供することを目的とする。
【課題を解決するための手段】
【００１０】
本発明の模様付き布帛は、コンピューターグラフィックス技術を用いた陰影処理および網点処理によって加工され、解像度が２０〜１００ＬＰＩとなった二次元データが、陰影のある網点模様として、布帛に、スクリーン捺染によって捺染されていることを特徴とする。
【００１１】
本発明において、スクリーン捺染とは、スクリーンを使って捺染することを指している。スクリーン捺染は、フラットスクリーン捺染、ロータリースクリーン捺染を含む概念であり、手加工であるか機械加工であるかは問わない。ここで、ＬＰＩは、Line Per
Inchの略語であり、解像度を１インチあたりの網点密度で表す単位である。
【００１２】
本発明によれば、解像度が２０〜１００ＬＰＩとなった二次元データが、陰影のある網点模様として、布帛に、スクリーン捺染によって捺染されていることで、ダイナミックな模様や質感のある模様が捺染された布帛となる。つまり、解像度が１００ＬＰＩを超えると、布帛上の捺染模様が繋がっているように見えてしまい、塗りつぶされたような模様となってしまう。一方で、解像度が２０ＬＰＩを下回ると、ぼんやりとした模様となってしまう。本発明では、コンピューターグラフィックス技術を用いた陰影処理および網点処理によって、原データを、その解像度が２０〜１００ＬＰＩの二次元データに加工し、布帛に、陰影のある網点模様を、スクリーン捺染によって捺染する。本発明によれば、ダイナミックで質感のある模様が捺染された布帛を製造することができる。
【００１３】
本発明の模様付き布帛の製造手順を、より具体的に例示すると、次のような、原版の作製、スクリーンの作製、合繊布帛への捺染の順となる。前記原版の作製は、コンピューターグラフィックスの陰影法および網掛法を応用して三次元空間内の仮想的な立体物情報を、明暗、および／もしくは濃淡が漸次的変化で表現させる網点スクリーン解像度２０〜１００ＬＰＩの二次元平面のドットグラデーション情報に変換し、版下プリンターを用い原版を作製する。前記スクリーンの作製は、例えば、感光膜技法によって、原版のドットグラデーション情報をスクリーンにトレースする。前記合繊布帛への捺染は、前記原版情報をトレースしたスクリーンを用いて合繊布帛に、顔料・バインダー混合物、および／もしくは、染料・染色糊混合物で捺染する。このような手順を経ることによって、高意匠性の三次元視覚模様絵柄が捺染した合繊布帛が得られる。
【００１４】
本発明は、前記陰影のある網点模様が、ドットの着色域および非着色域の大きさでグラデーションが表されており、立体視可能な絵柄、文字、図形、画像のいずれか一種以上が描かれていることを特徴とする。
【００１５】
本発明では、前記陰影処理および網点処理に際し、ドットの着色域および非着色域の大きさでグラデーションを表して、立体視可能な絵柄、文字、図形、画像のいずれか一種以上を描く。本発明によれば、従来にない、明瞭な三次元視覚模様絵柄が捺染された布帛を製造することができる。
【００１６】
本発明は、前記布帛が、合成繊維からなるシート状の不織布、織物または編物のいずれかであることが好ましい。本発明によれば、しなやかで強度が高く、高品質の捺染布帛となる。
【００１７】
本発明は、前記布帛が、難燃加工、遮熱加工、消臭加工のいずれか一種以上が施されていることが好ましい。本発明によれば、家屋、家具、器具等の貼設材に対する各種要望に適合した、高品質の捺染布帛となる。
【００１８】
本発明によって製造された模様付き布帛の一方の面に、合成樹脂フイルムをラミネート加工するか、または、合成樹脂を塗工することで、破れ難さや耐水性をさらに向上させた模様付きシート原反となる。
【００１９】
本発明は、模様付きシートとして、例えば、障子、襖、窓、間仕切り、衝立、照明器具の外装、網戸、ソファー表装、カーテン、ブラインド、緞帳、テント、家屋の壁、家屋の天井、家屋の床、寝具、調度品、車両内装材などに適用される。
【００２０】
より具体的には、前記模様付きシートを障子の骨組みに貼設（若しくは張設）することで新規な障子となる。襖、窓、襖、窓、間仕切り、衝立、照明器具の外装、網戸についても同様である。ここで、窓は、採光用の窓でもよいし、換気用の窓でもよい。また、前記模様付きシートをソファーの裏地に張設（若しくは貼設）することで新規なソファーとなる。カーテン、ブラインド、緞帳、テント、寝具、調度品、車両内装材についても同様である。そして、前記模様付きシートを家屋の壁の地肌に貼設（若しくは張設）することで新規な家屋の壁となる。家屋の天井や家屋の床についても同様である。その他、前記模様付きシートを生地としてカーテンやテント等を構成してもよい。そして、前記模様付きシートの布帛の厚みを厚くすることや、繊維密度を大きくすることで丈夫で遮光性の高いシートとなり、前記模様付きシートの布帛の厚みを薄くすることや、繊維密度を小さくすることで風通しがよくて光をある程度通す軽いシートとなる。
【発明の効果】
【００２１】
本発明によれば、ダイナミックな模様や質感のある模様が捺染された布帛となり、従来にない、明瞭な三次元視覚模様絵柄が捺染された布帛となる。つまり、本発明によれば、布帛捺染品のニーズの多様化、高度化志向において、合繊布帛に比較的簡便な三次元視覚模様絵柄表現方法を確立して、「美感、奥行き感があり、風情にも味わいのある」、更に素材特性から「破れ難く」、「適度に遮光性や通気性を配することの出来る」を具現化した高意匠性繊維製品を創出でき、特にインテリア用貼設材および張設材の高級化への期待に応えられる。
【図面の簡単な説明】
【００２２】
【図１】本発明に係る実施例１の原版を例示する図である。
【図２】上記実施例１の原版を拡大して示す図である。
【図３】本発明に係る実施例１のフラットスクリーンを例示する図である。
【図４】上記実施例１のフラットスクリーンに顔料／バインダー配合物が塗工されている状態を例示する図である。
【図５】本発明に係る実施例１の三次元視覚模様絵柄付き合繊不織布を例示する図である。
【図６】本発明に係る実施例３の三次元視覚模様絵柄付き合繊織物を例示する図である。
【図７】本発明に係る実施例４の三次元視覚模様絵柄付き合繊編物を例示する図である。
【図８】本発明に係る実施例５の三次元視覚模様絵柄付き合繊編物の他の例を示す図である。
【図９】比較例５の織物を例示する図である。
【図１０】本発明に係る実施例２の原版を例示する図である。
【図１１】比較例２の原版を例示する図である。
【図１２】比較例４の原版を例示する図である。
【図１３】本発明を適用した障子戸を例示する図である。
【図１４】本発明を適用した襖戸を例示する図である。
【図１５】本発明を適用した間仕切戸を例示する図である。
【図１６】本発明を適用した間仕切を例示する図である。
【図１７】本発明を適用した照明具外装を例示する図である。
【図１８】本発明を適用した網戸を例示する図である。
【図１９】本発明を適用したソファー表装を例示する図である。
【図２０】本発明を適用したロールカーテンを例示する図である。
【図２１】本発明を適用した壁および天井を例示する図である。
【図２２】本発明の模様付き布帛の製造手順を示すフローチャート図である。
【図２３】本発明の模様付き布帛の製造手順を模式的に示す工程図である。
【発明を実施するための形態】
【００２３】
本発明を実施するための形態を以下に説明する。
【００２４】
本発明を構成する合繊布帛は、合繊不織布または合繊織編物から選択される少なくとも一種以上である。前記合繊布帛は、ポリエステルフィラメントを熱・機械的、もしくは化学的な作用によって、接着もしくは絡み合わせてシート状にした合繊不織布である。前記合繊織編物は、ポリエステルフィラメントおよび／もしくはポリエステルスパンで構成する織物および／もしくは編物である。
【００２５】
前記合繊不織布または前記合繊織編物を構成する素材繊維としては、ポリエステル繊維、ナイロン繊維、ポリプロピレン繊維、ポリエチレン繊維、ポリ塩化ビニリデン繊維など公知の合成繊維が例示される。特にポリエステル繊維が染色色相の自由度が大きく、三次元視覚模様絵柄の表現がダイナミックなものとなるので好ましい。
【００２６】
前記合繊不織布または前記合繊織編物に係るポリエステル繊維を形成するポリエステルとしては、主たる繰り返し単位がエチレンテレフタレートであるポリエチレンテレフタレート系ポリエステル、主たる繰り返し単位がブチレンテレフタレートであるポリブチレンテレフタレート系ポリエステル、主たる繰り返し単位がトリメチレンテレフタレートであるポリトリメチレンテレフタレート系ポリエステルが好ましく例示される。
【００２７】
前記合繊不織布または前記合繊織編物は、本発明の目的を損なわない範囲内で必要に応じて、熱安定剤、難燃剤、艶消し剤、制電剤、吸湿剤、抗菌剤、抗アレルゲン剤、マイナスイオン剤、風合調整剤、毛羽伏せ剤、遮熱剤等、各種の薬剤加工もしくは樹脂加工を施してもよい。
【００２８】
前記合繊不織布または前記合繊織編物の繊維形態は、強い引き裂き強度を得る上でポリエステルフィラメントであることが好ましい。本発明に係る繊維の断面形状（繊維軸と直角方向の断面形状）については特に限定されず、丸、三角、扁平等、公知の断面形状が採用でき、中空部を有するものであってもよい。
【００２９】
前記合繊不織布を製造する方法としては、例えば水流交絡法、ニードルパンチ法、メルトブロー法、スパンボンド法、積層遠展法等が例示されるが、強い引き裂き強度を得る上で積層遠展法で得られたユニセル、シルビナー（ユニセル株式会社製）が特に好ましい。
【００３０】
前記合繊不織布または前記合繊織編物は、その厚みが０．０１〜１０ｍｍが好ましく、より好ましくは０．０１〜５ｍｍである。既知の方法で捺染しやすく絵柄も鮮明なものとなる。前記合繊不織布または前記合繊織編物は、その引き裂き強度が４Ｎ以上が好ましく、より好ましくは６Ｎ以上である。信頼性の高い模様付き布帛となる。
【００３１】
本発明の三次元視覚模様絵柄捺染の実施形態について以下に詳細に述べる。
【００３２】
図２２は、本発明の模様付き布帛の製造手順を示すフローチャート図である。本発明の模様付き布帛の製造手順は、データ収集とモデリング作業（符号Ｓ１１）、ドットグラデーション情報への変換作業（符号Ｓ１２）、原版の作製（符号Ｓ１３）、スクリーンの作製（符号Ｓ１４）、合繊布帛への捺染（符号Ｓ１５）、後処理（符号Ｓ１６）とからなる。
【００３３】
図２３は、本発明の模様付き布帛の製造手順を模式的に示す工程図である。データ収集とモデリング作業（符号Ｓ１１）には、既知のコンピュータ１０１を使用し、収集されたデータや加工されたデータは、データベース１０２に格納される。データベース１０２は、コンピュータ１０１と接続されており、内蔵されていてもよいし、外部接続されていてもよい。コンピュータ１０１にインストールされているグラフィックス処理ソフトウエアを起動させて、ドットグラデーション情報への変換作業（符号Ｓ１２）を行う。そして、版下用プリンター１０３を用いて、ドットグラデーション情報への変換作業（符号Ｓ１２）を行い、次に、スクリーン１０４を作製する（符号Ｓ１４）。そして、フラットスクリーン１０４を用いて、紗５を作製し、フラットスクリーン捺染を行い見本を作製する（符号Ｓ１５）。そして、見本が良好であることを確認し、ロータリースクリーン１０４を用いて、ローラ６を作製し、ロータリースクリーン捺染を行い（符号Ｓ１５）、量産する。捺染後は、製造された模様付き布帛の一方の面に、合成樹脂フイルムをラミネート加工するか、合成樹脂を塗工するなどの加工や、乾燥等の後処理（符号Ｓ１６）を行い、模様付きシート原反１となる。
【００３４】
ドットグラデーション情報への変換作業（符号Ｓ１２）は、コンピューターグラフィックスにおける陰影法により、三次元空間内の仮想的な立体物を、「明暗および濃淡が漸次的変化で表現させる二次元の平面陰影法を用いたグラデーション情報」に変換し、更に該陰影法を用いたグラデーション情報を網掛処理する。本発明において網点スクリーン解像度は極めて重要であり、本発明者が鋭意研究して到達した網点スクリーン解像度が、好ましくは２０〜１００ＬＰＩの範囲であり、より好ましくは３０〜７０ＬＰＩの範囲である。
前記網点スクリーン解像度が、２０ＬＰＩ未満で生じる代表的な不具合は、捺染された三次元視感模様絵柄の繊細な部分が不鮮明で粗雑な模様絵柄になることが挙げられ、その一方で、１００ＬＰＩ超で生じる代表的な不具合は、捺染された三次元視感模様絵柄の着色部分が合体しミッチャ（柄が潰れる現象）が発生じることが挙げられ、何れも三次元模様絵柄の品位低下が甚だしいものとなってしまう。そして、網点スクリーン解像度を、３０〜７０ＬＰＩの範囲とすることで、大人から子供までの広い世代において、三次元模様絵柄が鮮明に見えるようになり、高画質でありながら、既存設備で捺染することが容易となる。
【００３５】
本発明において、更には網掛角度は模様絵柄の種類や、捺染される布帛の種類、組織、地色によっても影響を受けるが、本発明では０〜４５度が好適な範囲であり、該範囲を外れると特に視覚模様絵柄が木目調に見える、モアレが生じ易い。
【００３６】
本発明に係るコンピューターグラフィックスによる画像情報の変換作業は、一般的に多用されているRHINOCEROS、SHADE、3DMAX、PHOTOSHOP、等のソフトウエアを用いて充分行える。また本発明に使用する三次元原画の模様絵柄は、絵、図形、写真、文字等、三次元立体像として視覚できる絵柄であり、前記の情報変換が可能であれば特に制限されない。
【００３７】
原版の作製（符号Ｓ１３）は、前記網点スクリーン解像度が２０〜１００ＬＰＩのドットグラデーションを版下用プリンターでフイルムに描写し原版１０３を作製する。原版１０３の大きさは実際に使用する寸法（原寸大）で作製するが、描写方法は該網点スクリーン解像度１０〜１００ＬＰＩのドットグラデーション情報を正確に描写出来る方法であれば特に制限されない。原版１０３の素材は、該ドットグラデーション情報を正確に描写出来る素材であれば特に制限されないが、ポリエステルフィルムが好ましく、更には、描写される面に着色剤受理処理等で描写適性を向上させたポリエステルフィルムがより好ましく使用出来る。
【００３８】
捺染用スクリーンの作製（符号Ｓ１４）は、前記網点スクリーン解像度２０〜１００ＬＰＩのドットグラデーション情報を描写した原版を、紫外線（以下、ＵＶと略する）感光膜技法を用いてメッシュネット上にトレースし、三次元視覚模様絵柄の捺染用スクリーンを作製する。メッシュネットのメッシュ数は２０〜２００メッシュが好ましく、より好ましくは４０〜１５０メッシュである。前記２０〜１００ＬＰＩの網点スクリーン解像度と対応した構成となる。前記感光膜操作を詳細に説明すると、ＵＶ照射により硬化する感光性樹脂液をメッシュネットに塗工し、感光性樹脂液が塗工されているメッシュネットを前記原版１０３の上に重ね置きし、原版１０３の下方からＵＶ照射してネット上に感光性樹脂の硬化膜を形成させる。感光性樹脂が充分に硬化した後、前記メッシュネットを水洗する。前記感光性樹脂はメッシュネットから垂れ落ちない程度の粘度１０００〜３０００ｍｐａ・ｓ（使用温度）が好ましく使用される
【００３９】
前記メッシュネットを水洗すると、原版１０３の黒塗ドット部分に対面した感光性樹脂はＵＶ照射されないので硬化せずに洗い流され、非黒塗ドット部分に対面した感光性樹脂はＵＶ照射されて硬化膜を形成することで、原版１０３の情報を忠実にトレース出来る。本発明には、こうした感光膜技法による捺染用スクリーン１０４が手軽で好ましいが、レーザー技法を用いて原画情報をアルミ薄板に孔開けトレースする方式のロータリースクリーン１０４とすれば量産性が飛躍的に高まり好ましい。つまり、原版１０３の情報を描写出来る方法であれば特に制限されない。
【００４０】
本発明に係る合繊布帛への三次元視覚表現絵柄の捺染（符号Ｓ１５）は、紗５またはローラ６を用いて、所定の顔料／バインダー混合物、もしくは染料／染色糊混合物で、合繊不織布および／もしくは合繊編物に捺染して三次元視覚模様絵柄付き合繊布帛１を得る（図２３を参照）。顔料としては有機顔料、無機顔料、蓄光顔料等が挙げられ、染料としては塩基性染料、酸性染料、含金染料、硫化染料、各種分散染料等が挙げられるが、両者共に特に制限されない。
【００４１】
また、バインダーにおいては、アクリル樹脂、ウレタン樹脂が対合繊への接着性に優れ、硬さの調製が容易であり好ましいが、酢酸ビニル樹脂等のビニル樹脂、エステル樹脂、エポキシ樹脂、尿素樹脂、メラミン樹脂等、特に制限されない。
【００４２】
更には必要によりバインダーに架橋剤、難燃剤、撥水剤等、他の機能剤を混入させることも特に制限されない。前記架橋剤としてはイソシアネート化合物、トリアジン環化合物、グリシジル化合物、オキサゾリン化合物が、難燃剤としてはポリ燐酸アンモン、燐酸エステル等のリン化合物、ヘキサブロモシクロデカリン、デカブロモジフェニルオキサイド等の臭素化合物、酸化アンチモン、水酸化アルミニウム等の金属化合物が、撥水剤としてはフッソ系撥水剤、ワックス系撥水剤、シリコーン系撥水剤が例示される。
【００４３】
染色糊としては、カルボキシルメチルセルロース（ＣＭＣ）、ヒドロキシエチルセルロース（ＨＥＣ）等の変性セルローズ体が好ましいが、デンプン、アルギン酸塩、ポリオキシエチレン化合物、水溶性アクリル樹脂等、染色糊の機能があれば特に制限されない。
【００４４】
前記捺染された三次元視覚模様絵柄付き合繊布帛を乾燥等の後処理する（符号Ｓ１６）。乾燥条件は、温度が８０〜１３０℃、５分間程度、熱風乾燥機で乾燥させる。一方、分散染料を用いた場合は、乾燥後、１６０〜１９０℃のスチーム、湿熱処理で染着させ後、水洗、乾燥させる。
【００４５】
本発明の三次元視覚模様絵柄付きの合繊布帛は、「味わいや風情」に加えて「破れ難さに、適度な遮光性、通気性」を有しているので、障子、襖、窓、間仕切り、衝立、照明器具の外装、網戸、ソファー表装、カーテン、ブラインド、緞帳、テント、家屋の壁、家屋の天井、家屋の床、寝具、調度品、車両内装材など、これらのインテリアに貼設し、あるいは張設し、該インテリアに「高い意匠性と装飾性」を具現化させるのに好適である。
例えば、前記模様付きシートを障子の骨組みに貼設（若しくは張設）することで新規な障子となる。襖、窓、襖、窓、間仕切り、衝立、照明器具の外装、網戸についても同様である。ここで、窓は、採光用の窓でもよいし、換気用の窓でもよい。例えば、前記模様付きシートをソファーの裏地に張設（若しくは貼設）することで新規なソファーとなる。カーテン、ブラインド、緞帳、テント、寝具、調度品、車両内装材についても同様である。例えば、前記模様付きシートを家屋の壁の地肌に貼設（若しくは張設）することで新規な家屋の壁となる。家屋の天井や家屋の床についても同様である。その他、前記模様付きシートを生地としてカーテンやテント等を構成してもよい。そして、前記模様付きシートの布帛の厚みを厚くすることや、繊維密度を大きくすることで丈夫で遮光性の高いシートとなり、前記模様付きシートの布帛の厚みを薄くすることや、繊維密度を小さくすることで風通しがよくて光をある程度通す軽いシートとなる。
【００４６】
（実施例、比較例）
本発明の実施例と、比較例を以下に記述する。本発明の実施例１−６を表１に示す。また、比較例１−６を表２に示す。そして、より理解を深める意味において、本発明の実施例の図を例示し、また、比較例の図を例示する。なお、本発明はこの実施例に限定されるものではない。
【００４７】
【表１】
2013249564.tif 000003
【００４８】
【表２】
2013249564.tif 000004
【００４９】
表１、２において、注記１−８は次の材料である。
注記１（＊１）は、ユニセル株式会社製、「シルビナ」ポリエステルフィラメント不織布である。
注記２（＊２）は、スミノエテイジンテクノ株式会社製、「クロスキャビン」ポリエステルモノフィラメント織物であり、経緯糸が２５ｄｔｘ×２００本／インチである。
注記３（＊３）は、ポリエステルタフタ織物であり、経糸が５６ｄｔｅｘ／３６Ｆ、緯糸が５６ｄｔｅｘ／２４Ｆ、１８５本／インチである。
注記４（＊４）は、ポリエステルフィラメント編物であり、１６７ｄｔｅｘ／１４４Ｆである。
注記５（＊５）は、ＤＩＣ株式会社製、顔料水分散液である。
注記６（＊６）は、住友化学株式会社製、分散染料である。
注記７（＊７）は、ＤＩＣ株式会社製、（メタ）アクリル酸エステル共重合エマルジョンである。
注記８（＊８）は、安達糊料株式会社製、染色糊である。
【００５０】
表１、２において、視覚評価は、注記９−１２のように行った。
注記９（＊９）は、立体感、奥行感を視覚で５段階評価したもので、５が優れており、１が劣っている。
注記１０（＊１０）は、ドットゲインであり、これは、網点数が多くなりすぎると起きる現象で、画像の縁等が接し合わさってベタ塗り状になることを指し、５段階評価したもので、５がベタが全く見られず優れており、１がベタが非常に多く劣っている。
注記１１（＊１１）は、コントラストであり、これは、ベタ部の濃度が高くシャドウ部のつぶれが生じないものが好ましく、５段階評価したもので、５が優れており、１が劣っている。
注記１２（＊１２）は、解像力であり、これは、画像の濃淡、明暗グラデーション部分の分布微細部の再現性が高いものが好ましく、５段階評価したもので、５が優れており、１が劣っている。
【００５１】
（実施例１）
本発明の実施例１は、三次元視覚模様絵柄が捺染された不織布である（図５）。
【００５２】
実施例１は、空間内に球体が浮遊する三次元画像の原画を収集し（符号Ｓ１１）、コンピューターグラフィックス技術の陰影法（使用ソフトウエア；株式会社イーフロンティア製ＳＨＡＤＥ）により「明暗の暫時的コントラストで立体感を与える二次元の平面陰影法を用いたグラデーション情報」に変換し、更に該陰影グラデーション情報を網掛法（使用ソフトウエア；アドビ システムズ 株式会社製ＰＨＯＴＯＳＨＯＰ）により網点スクリーン解像度３０ＬＰＩの二次元平面ドットグラデーション情報に変換した（符号Ｓ１２）。そして、変換された網点数３０ＬＰＩの二次元平面情報を、版下用プリンターを用いて、１８０×９０ｃｍのポリエステルフィルム面に、１２０×６０ｃｍの画像をトレースし、原版を作製した（符号Ｓ１３）。図１は、実施例１の原版を例示する図である。図２は、実施例１に示す原版上の網点スクリーン解像度３０ＬＰＩのドットグラデーションが拡大された図である。
【００５３】
次いで、１８０×９０ｃｍのアルミニウム製フレームに張設した、７０メッシュポリエステルフイラメントネットに重合開始剤、増感剤を配合した粘度２０００ｍｐａ・ｓの感光性樹脂液２００ｇ／ｍ２を塗工した。この時点の塗工面は、１２０×６０ｃｍであった。続いて、前記原版の上に、前記感光性樹脂液を塗工したメッシュネットを重ね置きし、真空下の焼付器下方から３ＫＷのＵＶ管で８０秒ＵＶ照射し、感光性樹脂の硬化膜を形成させた後、メッシュネットを水洗した。この水洗で、原版の黒塗ドット部分に対面した感光性樹脂は硬化せずに水洗で流され、非黒塗ドット部分に対面した感光性樹脂は硬化膜を形成した。次いで、ＵＶ硬化膜を形成した前記メッシュネットを４０℃、８０分乾燥し、更に１００ＷのＵＶ管２４本設置の露光器で３０分間露光しＵＶ硬化膜を完全に硬化させた。最後にメッシュ上に描かれた情報に欠落、合体がないことを確認し捺染用フラットスクリーンを作製した（符号Ｓ１４）。図３は、実施例１のフラットスクリーンを例示する図である。
【００５４】
前記フラットスクリーンを用い、アクリル系バインダー（ボンコートＡＮ−１１９０、固型分：４５％、ＤＩＣ株式会社製）１００ｇ、増粘剤（ボンコートＨＶ−Ｅ、ＤＩＣ株式会社製）４ｇ、２８％アンモニア水 ０．３ｇ、黒色顔料（ＤＥＸＣＥＬ  ＢＬＣＫ  ＨＢ  ＤＩＣ株式会社製）０．２ｇの塗工用顔料／バインダー配合物（粘度：６０００ｃｐｓ）を捺染機で、ポリエステル不織布（シルビナ、４５ｇ／ｍ２、ユニセル株式会社製）に５０ｇ／ｍ２塗工後、１１０℃熱風乾燥機で５分間乾燥し、三次元表現絵柄付き合繊不織布を得た。図４は、実施例１のフラットスクリーンに顔料／バインダー配合物が塗工されている状態を例示する図である。
【００５５】
図５は、本発明に係る実施例１の三次元視覚模様絵柄付き合繊不織布を例示する図である。実施例１の三次元視覚模様絵柄付き合繊不織布を貼設した障子戸を図１３に例示し、同様に、襖戸を図１４に例示し、間仕切戸を図１５に例示し、間仕切を図１６に例示し、照明具外装を図１７に例示する。
【００５６】
（実施例２〜６）
本発明の実施例２〜６では、網点スクリーン解像度を表１に記した以外は実施例１と同様
にして原版を作製し、フラットスクリーンを作製した。フラットスクリーン捺染は、表１に記した捺染剤を用いて捺染し、実施例１と同様の条件で乾燥した。染料を用いた捺染の実施例４−６は、更に１６５℃で６分間湿熱（スチーマー）処理した後、水洗し染料／染色糊を洗い流し、１１０℃で約１０分間乾燥して三次元視覚模様絵柄付き合繊不織布や合繊織編物を得た。図６は、本発明に係る実施例３の三次元視覚模様絵柄付き合繊織物を例示する図である。図７は、本発明に係る実施例４の三次元視覚模様絵柄付き合繊編物を例示する図である。図８は、本発明に係る実施例５の三次元視覚模様絵柄付き合繊編物の他の例を示す図である。図１８は、本発明を適用した網戸を例示する図である。図１９は、本発明を適用したソファー表装を例示する図である。図２０は、本発明を適用したロールカーテンを例示する図である。図２１は、本発明を適用した壁および天井を例示する図である。
【００５７】
（比較例１〜５）
比較例１〜５では、網点スクリーン解像度を表２に記した以外は実施例１〜６のいずれかと同様にした。図１１と図１２は、網点スクリーン解像度が本発明の範囲を外れた比較品であり、表２に示す通り其々、ドットイン、コントラスト、解像力において本発明品よりも劣る。特に比較例２は、図１１に示したように濃部分の合体、ミッチャが発生し、模様絵柄の解像力が劣る。すなわち表１に示すように、本発明に係る実施例１〜６は、いずれも、立体感、奥行感が優れており、また、ドットゲインがベタが全く見られず優れており、コントラストが優れており、画像の濃淡、明暗グラデーション部分の分布微細部の再現性が高くて優れている。
【産業上の利用可能性】
【００５８】
「美観や風情に味わいのある三次元視覚模様絵柄」を捺染した意匠性、装飾性の高い合繊不織布および合繊布帛が、インテリア用の貼設用あるいは張設用に提供出来、その工業的価値は極めて大である。
【符号の説明】
【００５９】
１                    模様付き布帛（模様付きシート原反、模様付きシート）、
５                    紗、
６                    ローラ、
１０１                コンピュータ、
１０２                データベース、
１０３                原版、
１０４                スクリーン（フラットスクリーン、ロータリースクリーン）
【図１】
2013249564.tif 000005
【図２】
2013249564.tif 000006
【図３】
2013249564.tif 000007
【図４】
2013249564.tif 000008
【図５】
2013249564.tif 000009
【図６】
2013249564.tif 000010
【図７】
2013249564.tif 000011
【図８】
2013249564.tif 000012
【図９】
2013249564.tif 000013
【図１０】
2013249564.tif 000014
【図１１】
2013249564.tif 000015
【図１２】
2013249564.tif 000016
【図１３】
2013249564.tif 000017
【図１４】
2013249564.tif 000018
【図１５】
2013249564.tif 000019
【図１６】
2013249564.tif 000020
【図１７】
2013249564.tif 000021
【図１８】
2013249564.tif 000022
【図１９】
2013249564.tif 000023
【図２０】
2013249564.tif 000024
【図２１】
2013249564.tif 000025
【図２２】
2013249564.tif 000026
【図２３】
2013249564.tif 000027